(57)【特許請求の範囲】
【請求項１】
（１）眼覆部材、
（２）前記眼覆部材の眼球部に対応する位置に設けられ、瞼の上より眼球部の角膜部分を押圧することができる凸状に出張り、弾性体からなる接眼パッド、
（３）前記眼覆部材の後部側の周縁部に設けられ、前記接眼パッドを収納する縁枠、及び
（４）前記眼覆部材の両端部と連結し、前記接眼パッドの押圧具合を調節可能な締め付けバンド
を含むことを特徴とする、眼精疲労回復用又は近視治療用のアイマスク。
【発明の詳細な説明】
【技術分野】
【０００１】本発明は眼精疲労回復や、乱視治療にも効果が有ると思われますが、特に強度の近視でも、視力矯正機能を発揮する近視矯正に重点を置いたアイマスクに関するものである。
【背景技術】
【０００２】眼精疲労回復効果、眼機能回復効果、視力矯正治療効果催眼効果等を電気又は電子式の加温熱装置磁性体や、微振動発生装置等の器具では使用時間が長時間に及び取り扱いが面倒である事や取り扱いの難しさ、使用方法の難しさに加え間違った方法にて使用した場合失敗は取り返しのつかない部所であり、リスクを伴うが故に、一般人はもとより子供達、例えば、小学生、中学生、高校生等、近視の人が多いにもかかわらず普及していないし尚且つ普及しにくいのではないかと思われる。
【発明が解決しようとする課題】
【０００３】本発明の解決しようとする課題は、眼精疲労回復効果はもとより、視力矯正治療の内で、特に近視専用の強度の近視治療にも効果が有る。視力矯正治療に有効なアイマスクを提供することである。
【０００４】また本発明は使用時間が３分乃至５分と短時間で、１日に１回から数回何処でも使用が可能で眼精疲労回復、近視を回復することが出来る、アイマスクを提供することである。
【０００５】さらに本発明は生体を利用している為か、構成が簡単で低価格、取り扱い、持ち運びが極めて簡単であり、安価に、大量に、広く提供する事が可能なアイマスクである。
【課題を解決するための手段】
【０００６】上述した課題を解決するために採用した本発明の手段は眼覆部材の眼球部に対応する位置に弾性体で造られた接眼パッドを設けると共に、接眼パッドは、眼球部の出張っている、角膜部分のみに接する様にし、接眼パッドは角膜部分に重点的に当たる様に造られ、ゴムバンドに依る適度の押圧を瞼を介して加える。
【０００７】また使用者の瞼や頬の凹凸、鼻の高低等の相違があっても、眼球部の出張っている角膜部と接眼パッドも出張っているため、個人差による掘の深さ等が有っても比較的容易に押圧することが出来る。
【０００８】本発明の代表的な実施形態によれば前記接眼パッドは硬質スポンジ又は綿、その他の弾性体で造られているので苦痛も生じない、その接眼パッドの眼球側に接する部分は丁度鶏卵の長い方を半分に切った楕円形の半球状に出張って眼球部の角膜部分にのみ瞼の上より重点的に当たるような設計の接眼パッドを特徴とし、ゴムバンドで適度に押圧具合を調節して使用する。
【０００９】また、本発明は自分自身の眼球を動かして治療行為と行う事も特徴であり眼球の角膜部分の出張りと、接眼部のパッドが出張った形になっている為眼覆部材が上下に少し動く場合は、双眼鏡を覗く様に両手で持って動かないようにして行う。仰むき状態にて行った方が、上下に動きにくいし、角膜全体に均等に加圧もし易い。睡眠の前とか、寝起きに行った方がより容易である。眠る前の場合は器具の取り外しを忘れずに必ず脱着して就寝する。
【００１０】また、自分自身で眼球を左右に、又は上下、そして右回転、左回転と動かすこの運動の比率は左右を多く取り入れ、眼球の筋力運動は目を活性化させる。
【００１１】さらに、瞼を閉じて眼球を動かす訳ですので、目の整体マッサージに依る緊張緩和と、弛緩効果等で、眼精疲労回復等に極めて有効であることを知得した。特に、眼球部の出張っている角膜部分に１回に３分乃至５分と間隔を置いて１日に数回、短期、又は長期に様子を見ながら、所定の強度の押圧と眼筋による眼球の運動と、それによって生ずる、マッサージの三者を併用す事に依る相乗効果により引きおこされるのか、近視が自然に近い状態にて治癒、又は改善され、近視治療に極めて有効であることを知得した。
【００１２】前記、眼覆部材に内蔵の接眼パッドが瞼を通して角膜を押圧して眼球自体の筋肉を動かしてマッサージを行うので、角膜に炎症を生じさせないように、瞼と眼球部の角膜との間に、睫や、ごみ等の異物が無い事を確認して行う、使用を終えて外した時は、コンタクトレンズを外した時と同じ状態で５分乃至１０分程でぼやけた状態から見える状態に戻ります。
【００１３】近視状の眼球が元に戻ろうとする、スプリングバックも回数と、日数をかけ、繰り返す事に依り克服でき、正視状態に近ずける事が可能であり、１回の使用時間の長短や、回数も、様子を見ながら自分に適した方法にて行う。
【００１４】器具は持ち運び、及び取り扱いが簡単で、使用時間が３分乃至５分と極めて短時間な為に飽きずに長期に使用が可能であり、仕組が単純で、価格的にも低価格ではあるけれども効果は大きい。
【００１５】前記接眼パッドは、硬質スポンジ、又は綿等であるが、他の弾性体の物質でもかまわない、接眼パッドは、個人差に依る目の掘の深さ、浅さに応じて近視治療用と、疲労回復用にと、接眼パッドは用意しておく事が出来、綿であれば内部側に追加して厚くしたり、又は取り除いて薄くも自在に調節が可能である。
【発明を実施するための最良の形態】
【００１６】以下、本発明の実施形態を添付図面に基づいて説明する。図１乃図至５は本発明のアイマスクの実施の形態を示しており、これら図面に示すように、アイマスクは全体が水中メガネ形状の眼覆部材２と楕円形で出張った接眼パッド４を有し、締め付けバンド５を備えている。【００１７】前記眼覆部材２の後部側の周端部には縁枠３がスポンジ又はゴム状で接眼パッド４の綿又は硬質スポンジ等を収納して外れない構成となっている。【００１８】前記眼覆部材のアイマスクの中央部、即ち鼻の位置の部分はゴムバンドにて引っ張っても湾曲しないように、顔面と平行になる構造とし、眼球の角膜部に対し垂直に加圧する事が出来る様に造られたものである事が重要である。【００１９】前記接眼パッドは使用者の瞼や頬の凹凸、鼻の高低等の相違や、掘の深さ等があっても接眼パッドの厚みを硬質スポンジの場合は取り替へも出来、又綿等の場合は厚みを増減して調節も出来、目的にあわせて近視治療用、眼精疲労回復用にと使用する事が出来る。【００２０】前記接眼パッド４は図３の上から見ると楕円形に湾曲し、凸状に眼球の前面に瞼を通して押圧し、近視治療の場合は特に角膜部分に重点的に力が加わる形状の近視治療用パッドにして使用する。【００２１】又、本発明は生体メカニズムは定かではないが、屈折性近視、軸性近視、角膜異状に依る近視にも、光の屈折の焦点をより網膜に近ずける事が出来る為なのか、自然態に近い状態にて近視等の治療に極めて有効である。【００２２】以上の実施形態は本発明の基本形態を示したものであり、酷似した眼覆部材等にて接眼パッドを使用して加圧し、自分自身の眼筋による運動を取り入れたマッサージにて近視矯正治療及び眼精疲労回復をはかるものであり、本発明の趣旨に従って、自分にあった治療を行う事が出来る。
【発明の効果】
【００２３】以上説明した本発明のアイマスクによれば、角膜部に押圧を加える事と自からの眼筋を動かす事に依る眼球の運動、及びそれに依って派生する生体を利用したマッサージにより、眼球やその週辺に蓄積した疲労回復が図られ近視矯正治療は勿論、乱視及び眼機能回復等の効果が自然態に近く副作用も無く治癒する事が期待できる。
【００２４】また、本発明のアイマスクは持ち運び、及び取り扱いが非常に簡単なうえ、使用時間も短時間に行なえるので、目が疲労した時、何時でも何処でも使用が可能であり、目的に応じて眼精疲労か、又は近視治療用に接眼パッドをセッティングしておけば、その場で眼精疲労を癒す事も、近視予防及び近視治療行為が出来る利点がある。
【００２５】また、軽度の近視は勿論、強度の近視で手術以外では治療法が無いと始めから諦めている強度の近視の人でも視力を改善することが出来る効果も期待できる。
【００２６】さらに、本発明は構成が極めて単純で自然態に近い治療法でもあり、リスクが無いに等しく、安全、且つ安価な事もあり、広く一般社会に普及させる事も可能であり、期待がもてる。
【図面の簡単な説明】
【図１】本発明の実施形態を示すアイマスクの全体斜視図である。
【図２】本発明の実施形態を示すアイマスクの正面図である。
【図３】本発明の実施形態を示すＡ−Ａ線に沿う断面図である。
【図４】図２のＢ−Ｂ線に沿う角膜矯正治具の断面図である。
【図５】図２のＢ−Ｂ線に沿う眼精疲労治具の断面図である。
【符号の説明】
１はアイマスク
２は眼覆部材
３は接眼パッド止め
４は接眼パッド
５は締付ゴムバンド
６は締付ゴムバンド調節具
１０は瞼
１１は角膜
１２は水晶体
１３は硝子体
【図１】
0004403584.tif 000002
【図２】
0004403584.tif 000003
【図３】
0004403584.tif 000004
【図４】
0004403584.tif 000005
【図５】
0004403584.tif 000006